(57)【要約】【課題】中間に介在する第１の網の全体の回線障害及び対向の異種網間接続装置側の第２の網の回線障害の少なくとも一方を統合的に検出する。【解決手段】異種網間接続装置は、互いに通信形態の異なる第１の網及び第２の網間に配置されてインタフェースの相互変換を行う異種網間接続装置であって、前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段を備える。【選択図】図２
2007166413.tif 000002
【特許請求の範囲】
【請求項１】
互いに通信形態の異なる第１の網及び第２の網間に配置されてインタフェースの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段
を備える異種網間接続装置。
【請求項２】
互いに通信形態の異なる第１の網及び第２の網間に配置されてインタフェースの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段
を備える異種網間接続装置。
【請求項３】
互いに通信形態の異なる第１の網及び第２の網間に配置されてインタフェースの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段と；
前記第１の網を通して前記対向の異種網間接続装置と前記要求フレーム及び前記応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段と；
を備える異種網間接続装置。
【発明の詳細な説明】
【技術分野】
【０００１】
本発明は、互いに通信形態の異なる第１の網及び第２の網間に配置されてインタフェースの相互変換を行う異種網間接続装置に関し、特に中間に介在する第１の網の全体の回線障害と対向の異種網間接続装置側の第２の網の回線障害とを統合的に検出可能な異種網間接続装置に関する。
【背景技術】
【０００２】
互いに通信形態の異なる第１の網及び第２の網間に配置されてインタフェースの相互変換を行う異種網間接続装置は、例えば第１の網としてのイーサネット（登録商標：Ethernet）網と、第２の網としてのＡＴＭ（Asynchronous Transfer Mode）交換機を含むＡＴＭ網との間に変換装置（コンバータ）として配置される（図１参照）。
【０００３】
このようなコンバータの配置要求は、根本的には、ＡＴＭ網に比較して低額通信料の広域かつ広帯域のイーサネット（登録商標）網（以下、ＥＮ網と記載することもある）を介在させて、全国に点在する企業の拠点間などを接続する通信回線を確保するために生じている。
【０００４】
通常、ＥＮ網には、入口、中継箇所及び出口に中継装置としての複数のルーターが配置される（図２参照）。このような通信ネットワークシステムにおいて、第１のコンバータＡは、直結の隣接するイーサネット（登録商標）回線（以下、ＥＮ回線と記載することもある）＊１で発生した障害を検出し、ＯＡＭ（Operation Administration and Maintenance）セルを使用してＡＴＭ交換機１にＥＮ回線障害を通知することができる（図３参照）。
【０００５】
しかし、第１のコンバータＡは、隣接しないＥＮ回線＊２，＊３，＊４（図２参照）で発生した障害を検出できず、自己が接続されているＡＴＭ網（ＡＴＭ交換機１）へ回線障害を通知できない。
【０００６】
また、第１のコンバータＡは、ＥＮ網を介して対向している第２のコンバータＢが接続されているＡＴＭ交換機２収容のＡＴＭ回線（以下、特に限定を要しない場合は、対向ＡＴＭ回線と記載することもある）＊５で発生した障害を検出できず、ＡＴＭ交換機１へ回線障害を通知できない。なお、これらの問題は第２のコンバータＢにおいても同様に生じる。
【０００７】
この結果、発信側のＡＴＭ交換機からの呼がＥＮ網に送り込まれるので、リソースの有効利用が阻害されることを免れない。
【特許文献１】特開２００４−３５７１１５号公報
【発明の開示】
【発明が解決しようとする課題】
【０００８】
本発明の課題は、中間に介在する第１の網の全体の回線障害及び対向の異種網間接続装置側の第２の網の回線障害の少なくとも一方を統合的に検出可能な異種網間接続装置を提供することにある。
【課題を解決するための手段】
【０００９】
上記課題を解決するために、本発明の第１の異種網間接続装置は、互いに通信形態の異なる第１の網及び第２の網間に配置されてインタフェースの相互変換を行う異種網間接続
装置であって；前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段を備える。
【００１０】
本発明の第２の異種網間接続装置は、互いに通信形態の異なる第１の網及び第２の網間に配置されてインタフェースの相互変換を行う異種網間接続装置であって；前記第１の網を通して対向の異種網間接続装置と要求フレーム及び応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段を備える。
【００１１】
本発明の第３の異種網間接続装置は、互いに通信形態の異なる第１の網及び第２の網間に配置されてインタフェースの相互変換を行う異種網間接続装置であって；前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段と；前記第１の網を通して前記対向の異種網間接続装置と前記要求フレーム及び前記応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段とを備える。
【００１２】
また、次の各構成を採ることもできる。
【００１３】
前記第１の網及び前記第２の網がイーサネット（登録商標）網及びＡＴＭ網である。前記第１及び第２の回線障害通知情報をＯＡＭセルで送信する。前記要求フレーム及び前記応答フレームは要求及び応答の種別を示す情報領域を有する。前記第１の網における前記自己に隣接しない回線は中継回線及び出口回線であり、前記第１の網における自己に隣接する回線は入口回線である。
【発明の効果】
【００１４】
本発明によれば、互いに通信形態の異なる第１の網及び第２の網間に配置されてインタフェースの相互変換を行う異種網間接続装置において、中間に介在する第１の網の全体の回線障害及び対向の異種網間接続装置側の第２の網の回線障害の少なくとも一方を統合的に検出することにより、発信側の第２の網からの呼が第１の網に送り込まれるのを防止でき、リソースの有効利用が図れる。
【００１５】
本発明の他の課題、特徴及び利点は、図面及び併記の特許請求の範囲とともに取り上げられる際に、以下に記載される実施の形態を読むことにより明らかになるであろう。
【発明を実施するための最良の形態】
【００１６】
以下、添付図面を参照して、本発明について更に詳細に説明する。図面には本発明の好ましい実施形態が示されている。しかし、本発明は、多くの異なる形態で実施されることが可能であり、本明細書に記載される実施形態に限定されると解釈されてはならない。むしろ、これらの実施形態は、本明細書の開示が徹底的かつ完全となり、当業者に本発明の
範囲を十分に伝えるように提供される。
【００１７】
［通信ネットワークシステム及び異種網間接続装置］
図２は、本発明の一実施の形態の異種網間接続装置が適用される通信ネットワークシステムＳＹＳの一例を示す。
【００１８】
図２を参照すると、互いに通信形態の異なる第１の網及び第２の網間に配置されてインタフェースの相互変換を行う異種網間接続装置は、ここでは第１の網としてのイーサネット（登録商標：Ethernet）網（以下、ＥＮ網と記載することもある）ＥＮと、第２の網としてのＡＴＭ（Asynchronous Transfer Mode）交換機ＥＸ１，ＥＸ２を含むＡＴＭ網との間に第１及び第２の変換装置（コンバータ）ＣＶ１，ＣＶ２としてそれぞれ配置される。
【００１９】
第１及び第２のコンバータＣＶ１，ＣＶ２の配置により、ＡＴＭ網に比較して低額通信料の広域かつ広帯域のイーサネット（登録商標）網ＥＮを介在させて、全国に点在する企業の本社と拠点間などを接続する通信回線を確保することが可能になる。したがって、第２のコンバータＣＶ２は１つまたは複数設けることができる（詳細は図７，図８，図９を参照して後述する）。
【００２０】
第１及び第２のコンバータＣＶ１，ＣＶ２の中間に介在するＥＮ網には、入口、中継箇所及び出口に中継装置としての複数のルーターが配置されている。
【００２１】
このような通信ネットワークシステムＳＹＳにおいては、第１のコンバータ（Ａ）ＣＶ１は、ＥＮ網ＥＮを介して対向している第２のコンバータ（Ｂ）（以下、特に限定を要しない場合は、対向コンバータと記載することもある）ＣＶ２と定期的に予め定めたフレーム（コンバータ間フレーム）を送受信することによって、直結の隣接するイーサネット（登録商標）回線（以下、ＥＮ回線と記載することもある）（入口回線）＊１で発生した障害を検出し、保守運用管理の情報を伝送するためのＯＡＭ（Operation Administration and Maintenance）セルを使用することにより、自己が接続されているＡＴＭ交換機（１）ＥＸ１にＥＮ回線障害（第１の回線障害通知情報）を通知する機能を有する。
【００２２】
また、第１のコンバータＣＶ１は、対向コンバータＣＶ２と定期的に予め定めたフレームを送受信することによって、隣接しないＥＮ回線（中継回線及び出口回線）＊２，＊３，＊４で発生した障害を検出し、ＯＡＭセルを使用することにより、ＡＴＭ交換機ＥＸ１にＥＮ回線障害（第１の回線障害通知情報）を通知する機能を有する。
【００２３】
さらに、第１のコンバータＣＶ１は、対向コンバータＣＶ２と定期的に予め定めたフレームを送受信することによって、対向コンバータＣＶ２が接続されているＡＴＭ交換機（２）ＥＸ２収容のＡＴＭ回線（以下、特に限定を要しない場合は、対向ＡＴＭ回線と記載することもある）＊５で発生した障害を検出し、ＯＡＭセルを使用することにより、ＡＴＭ交換機ＥＸ１にＡＴＭ回線障害（第２の回線障害通知情報）を通知する機能を有する。このＥＮ回線障害及びＡＴＭ回線障害の検出・通知機能は第２のコンバータＣＶ２も同様に有する。
【００２４】
第１及び第２のコンバータＣＶ１，ＣＶ２におけるＥＮ回線障害及びＡＴＭ回線障害の検出・通知機能は、図４に示す構成において、制御部ＣＰＵが有する。第１及び第２のコンバータＣＶ１，ＣＶ２は、ＡＴＭ回線インタフェース部ＡＴＭＩＦ及びＥＮ回線インタフェース部ＥＮＩＦを更に備えている。
【００２５】
ＡＴＭ回線インタフェース部ＡＴＭＩＦは、ＡＴＭ回線と接続し、ＡＴＭ回線から受信したＡＴＭセル（固定長パケット）をイーサネット（登録商標）フレーム（ＥＮフレーム
）にカプセリング処理するために制御部ＣＰＵに送出するとともに、制御部ＣＰＵから受信したデカプセリング処理後のＡＴＭセルをＡＴＭ回線へ送信する。
【００２６】
ＥＮ回線インタフェース部ＥＮＩＦは、ＥＮ回線と接続し、ＥＮ回線から受信したＥＮフレームをデカプセリング処理のために制御部ＣＰＵに送出するとともに、制御部ＣＰＵから受信したカプセリング処理後のＥＮフレームをＥＮ回線へ送信する。
【００２７】
制御部ＣＰＵは、カプセリング及びデカプセリング処理機能として、ＡＴＭ回線インタフェース部ＡＴＭＩＦから受信したＡＴＭセルをＥＮフレームへカプセリングするとともに、ＥＮ回線インタフェース部ＥＮＩＦから受信したＥＮフレームからＡＴＭセルを取り出す。
【００２８】
［コンバータ間フレーム］
次に、第１及び第２のコンバータＣＶ１，ＣＶ２間で送受信されるＥＮフレームとしてのコンバータ間フレームについて図５を参照して説明する。このコンバータ間フレームを構成する要素（ただし、この発明の説明に必要な要素のみ）は次のとおりである。
（１）送信先ＭＡＣ（Media Access Control）アドレス：対向コンバータのＭＡＣアドレス。Ｒｅｑｕｅｓｔ（要求）時はブロードキャストアドレス、Ｒｅｐｌｙ（応答）時はユニキャストアドレス。
（２）送信元ＭＡＣアドレス：自コンバータのＭＡＣアドレス。
（３）Ｌｅｎｇｔｈ：ＩＥＥＥ  ８０２．３で定義されているフレームレングスを示し、０ｘ３６固定。
（４）セルインフレームＣＩＦ（Cells in Frames）制御：ＡＴＭ  Ｆｏｒｕｍ／９６−
１１０４で定義されている３バイトエリア。詳細構成において、ｐ（１ｂｉｔ）はパリティビット、ＣＩＦ  ｆｏｒｍａｔ（７ｂｉｔ）はＣＩＦフォーマット識別子（１０固定）、Ｒｅｓｅｒｖｅｄ１（６ｂｉｔ）は未使用エリア、Ｔ（１ｂｉｔ）はリクエスト種別（０：Ｒｅｑｕｅｓｔ、１：Ｒｅｐｌｙ）、Ｒｅｓｅｒｖｅｄ２（７ｂｉｔ）は未使用エリア。
（５）フラグｎ：ＷＡＮ−ＩＤｎ，ＶＰＩｎ，ＡＴＭ状態ｎのエリアが有効か無効かを示す。０ｘ０１は有効、０ｘ００は無効を示す。第１及び第２のコンバータＣＶ１，ＣＶ２が１対１通信の場合、フラグ１のみ有効、第１及び第２のコンバータＣＶ１，ＣＶ２が１対ｎ通信の場合、フラグ１からフラグｎのみ有効。ここでは、ｎは６以下である。
（６）ＷＡＮ−ＩＤｎ：ＥＮ回線上のＶＰＩ（Virtual Path Identifier）値（０−２５
５）を示す。
（７）ＶＰＩｎ：ＡＴＭ回線上のＶＰＩ値（０−２５５）を示す。
（８）ＡＴＭ状態ｎ：対向コンバータのＡＴＭ回線状態を示す。ＡＴＭ回線状態の詳細は図６に示すとおりである。この一実施の形態においては、ＡＴＭ回線状態は第２のコンバータＣＶ２で先ず検出され、第１のコンバータＣＶ１に通知される。
（９）ＦＣＳ：Ｆｒａｍｅ  Ｃｈｅｃｋ  Ｓｅｑｕｅｎｃｅ。
［コンバータ間通信回線］
図２に示す通信ネットワークシステムＳＹＳにおいて、第１及び第２のコンバータＣＶ１，ＣＶ２間の通信回線としてのバーチャルパスＶＰ（Virtual Path）設定には、図７，図８，図９に示す３つの形態のいずれかを採ることができる。
【００２９】
第１及び第２のコンバータＣＶ１，ＣＶ２が１対１通信の場合、第１及び第２のコンバータＣＶ１，ＣＶ２を通る通信回線（ＡＴＭ回線及びＥＮ回線）として、１つの物理回線上に１つのバーチャルパスＶＰが設定される（図７参照）。この場合、図５に示すコンバータ間フレームにおけるフラグ１のみが有効（０ｘ０１）に設定される。
【００３０】
また、第１及び第２のコンバータＣＶ１，ＣＶ２が１対１通信の場合、第１及び第２の
コンバータＣＶ１，ＣＶ２を通る通信回線（ＡＴＭ回線及びＥＮ回線）として、１つの物理回線上に６つのバーチャルパスＶＰを設定することもできる（図８参照）。この場合、図５に示すコンバータ間フレームにおけるフラグ１からフラグ６が有効（０ｘ０１）に設定される。
【００３１】
さらに、第１及び第２のコンバータＣＶ１，ＣＶ２が１対ｎ通信の場合、第１及び第２のコンバータＣＶ１，ＣＶ２を通る通信回線（ＡＴＭ回線及びＥＮ回線）として、図９に示すように１つの物理回線から分岐する形態の物理回線上に６つのバーチャルパスＶＰを設定することもできる。この場合、図５に示すコンバータ間フレームにおけるフラグ１からフラグ６が有効（０ｘ０１）に設定される。
【００３２】
［動作例］
次に、図２に示す通信ネットワークシステムＳＹＳにおけるＥＮ回線障害及びＡＴＭ回線障害の検出・通知に関する動作例を関係図を併用して説明する。
【００３３】
ここでは、第１のコンバータ（Ａ）ＣＶ１及び第２のコンバータ（Ｂ）ＣＶ２が、図７に示すように、通信回線（ＡＴＭ回線及びＥＮ回線）として１つの物理回線上に１つのバーチャルパスＶＰが設定された接続形態を採る場合を前提にして例示する。上述したように、この場合、図５に示すコンバータ間フレームにおけるフラグ１のみが有効（０ｘ０１）に設定される。
（第１の動作例）
第１及び第２のコンバータＣＶ１，ＣＶ２間でＥＮ網のＥＮ回線状態を監視するために定期的にコンバータ間フレームを送受信する。
【００３４】
ＥＮ網のＥＮ回線状態確認方法（図１０，図１４，図１５，図１６参照）：
手順［１］：第１のコンバータ（Ａ）ＣＶ１は定期的に（一定間隔で）第２のコンバータ（Ｂ）ＣＶ２に対してＲｅｑｕｅｓｔフレームを送信する。このＲｅｑｕｅｓｔフレームは、図５に示すコンバータ間フレームにおけるＣＩＦ制御領域のリクエスト種別を示すＴビットが「０：Ｒｅｑｕｅｓｔ」に設定されている。
【００３５】
手順［２］：第２のコンバータＣＶ２は、このＲｅｑｕｅｓｔフレームを受信すると、第１のコンバータＣＶ１に対してＲｅｐｌｙフレームを送信する。このＲｅｐｌｙフレームは、コンバータ間フレームにおけるＣＩＦ制御領域のリクエスト種別を示すＴビットが「１：Ｒｅｐｌｙ」に設定されている。
【００３６】
手順［３］：第１のコンバータＣＶ１は、Ｒｅｐｌｙフレームを受信することによって、ＥＮ網におけるバーチャルパスＶＰ（ＷＡＮ−ＩＤ１）対応のＥＮ回線が全て正常であることを確認する。
【００３７】
ＥＮ網のＥＮ回線障害検出方法（図１１，図１４，図１７参照）：
手順［１］：第１のコンバータ（Ａ）ＣＶ１は定期的に第２のコンバータ（Ｂ）ＣＶ２に対してＲｅｑｕｅｓｔフレームを送信する。
【００３８】
手順［２］：第１のコンバータＣＶ１は、一定時間内に第２のコンバータＣＶ２からＲｅｐｌｙフレームを受信しなかった場合、ＥＮ網におけるバーチャルパスＶＰ対応のＥＮ回線に障害が発生したと認識し、自己が接続されているＡＴＭ回線に対してＯＡＭセルを送信する。このＯＡＭセルには、バーチャルパスＶＰ（ＷＡＮ−ＩＤ１）対応のＥＮ回線の障害状態が含まれている。
（第２の動作例）
第１のコンバータ（Ａ）ＣＶ１に対向する第２のコンバータ（Ｂ）ＣＶ２は、対向ＡＴ
Ｍ回線のＡＴＭ回線状態を第１のコンバータＣＶ１に検出させるために、コンバータ間フレームにおけるＡＴＭ状態１領域にＡＴＭ回線状態情報を設定する。
【００３９】
対向ＡＴＭ回線状態確認方法（図１２，図１４，図１５，図１６参照）：
手順［１］：第１のコンバータ（Ａ）ＣＶ１は定期的に（一定間隔で）第２のコンバータ（Ｂ）ＣＶ２に対してＲｅｑｕｅｓｔフレームを送信する。このＲｅｑｕｅｓｔフレームは、図５に示すコンバータ間フレームにおけるＣＩＦ制御領域のリクエスト種別を示すＴビットが「０：Ｒｅｑｕｅｓｔ」に設定されている。
【００４０】
手順［２］：第２のコンバータＣＶ２は、このＲｅｑｕｅｓｔフレームを受信すると、第１のコンバータＣＶ１に対して、ＡＴＭ回線状態をＡＴＭ状態１領域に設定したＲｅｐｌｙフレームを送信する。このＲｅｐｌｙフレームは、コンバータ間フレームにおけるＣＩＦ制御領域のリクエスト種別を示すＴビットが「１：Ｒｅｐｌｙ」に設定されている。
【００４１】
手順［３］：第１のコンバータＣＶ１は、Ｒｅｐｌｙフレームを受信したとき、コンバータ間フレーム内のＡＴＭ回線状態情報を取り出し、対向ＡＴＭ回線状態（正常）を確認する。
【００４２】
対向ＡＴＭ回線障害検出方法（図１３，図１４，図１５，図１６，図１８参照）：
手順［１］：第１のコンバータ（Ａ）ＣＶ１は定期的に第２のコンバータ（Ｂ）ＣＶ２に対してＲｅｑｕｅｓｔフレームを送信する。
【００４３】
手順［２］：第２のコンバータＣＶ２は、このＲｅｑｕｅｓｔフレームを受信すると、第１のコンバータＣＶ１に対して、ＡＴＭ回線状態をＡＴＭ状態１領域に設定したＲｅｐｌｙフレームを送信する。
【００４４】
手順［３］：第１のコンバータＣＶ１は、Ｒｅｐｌｙフレームを受信したとき、コンバータ間フレーム内のＡＴＭ回線状態情報を取り出し、対向ＡＴＭ回線状態を確認する。
【００４５】
手順［４］：第１のコンバータＣＶ１は、対向ＡＴＭ回線状態が障害の場合、自己が接続されているＡＴＭ回線に対してＯＡＭセルを送信する。このＯＡＭセルには、バーチャルパスＶＰ（ＶＰＩ１）対応のＡＴＭ回線の障害状態が含まれる。
【００４６】
［変形例］
上述した一実施の形態における各処理は組合せて実施することもできる。
【００４７】
また、上述した一実施の形態における処理はコンピュータで実行可能なプログラムとして提供され、ＣＤ−ＲＯＭやフレキシブルディスクなどの記録媒体、さらには通信回線を経て提供可能である。
【００４８】
［その他］
（付記１）互いに通信形態の異なる第１の網及び第２の網間に配置されてインタフェースの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段
を備える異種網間接続装置。（１）
（付記２）互いに通信形態の異なる第１の網及び第２の網間に配置されてインタフェー
スの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段
を備える異種網間接続装置。（２）
（付記３）互いに通信形態の異なる第１の網及び第２の網間に配置されてインタフェースの相互変換を行う異種網間接続装置であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する手段と；
前記第１の網を通して前記対向の異種網間接続装置と前記要求フレーム及び前記応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信する手段と；
を備える異種網間接続装置。（３）
（付記４）前記第１の網及び前記第２の網がイーサネット（登録商標）網及びＡＴＭ網である
付記１，２，３のいずれかに記載の異種網間接続装置。
【００４９】
（付記５）前記第１及び第２の回線障害通知情報をＯＡＭセルで送信する
付記４に記載の異種網間接続装置。
【００５０】
（付記６）前記要求フレーム及び前記応答フレームは要求及び応答の種別を示す情報領域を有する
付記１，２，３のいずれかに記載の異種網間接続装置。
【００５１】
（付記７）前記第１の網における前記自己に隣接しない回線は中継回線及び出口回線であり、前記第１の網における自己に隣接する回線は入口回線である
付記１，２，３のいずれかに記載の異種網間接続装置。
【００５２】
（付記８）互いに通信形態の異なる第１の網及び第２の網間に配置されてインタフェースの相互変換を行う異種網間接続装置における回線障害検出方法であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信する
回線障害検出方法。
【００５３】
（付記９）互いに通信形態の異なる第１の網及び第２の網間に配置されてインタフェースの相互変換を行う異種網間接続装置における回線障害検出方法であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続さ
れている前記第２の網の回線に第２の回線障害通知情報を送信する
回線障害検出方法。
【００５４】
（付記１０）互いに通信形態の異なる第１の網及び第２の網間に配置されてインタフェースの相互変換を行う異種網間接続装置における回線障害検出方法であって；
前記第１の網を通して対向の異種網間接続装置と要求フレーム及び応答フレームを定期的に送受信し、前記対向の異種網間接続装置からの前記応答フレームを前記要求フレームの送信ののち所定時間内に受信できないとき、前記第１の網における自己に隣接しない回線を含む回線の障害と認識し、自己が接続されている前記第２の網の回線に第１の回線障害通知情報を送信するステップと；
前記第１の網を通して前記対向の異種網間接続装置と前記要求フレーム及び前記応答フレームを定期的に送受信し、前記対向の異種網間接続装置からの前記応答フレームを前記要求フレームの送信ののち所定時間内に受信したとき、前記応答フレームの所定領域の回線状態情報に基づいて、前記対向の異種網間接続装置側の第２の網の回線障害を検出し、自己が接続されている前記第２の網の回線に第２の回線障害通知情報を送信するステップと；
を備える回線障害検出方法。
【図面の簡単な説明】
【００５５】
【図１】従来の異種網間接続装置（コンバータ）を説明するための通信ネットワークシステムの構成を示すブロック図。
【図２】本発明の一実施の形態の異種網間接続装置（コンバータ）を適用する通信ネットワークシステムの構成を示すブロック図。
【図３】従来のコンバータを説明するための図。
【図４】本発明の一実施の形態のコンバータの構成を示すブロック図。
【図５】コンバータ間フレームの構成を示す。
【図６】ＡＴＭ回線状態情報を示す。
【図７】コンバータ間通信回線を説明するための図。
【図８】コンバータ間通信回線を説明するための図。
【図９】コンバータ間通信回線を説明するための図。
【図１０】ＥＮ回線の状態確認方法を説明するための図。
【図１１】ＥＮ回線の障害検出方法を説明するための図。
【図１２】対向ＡＴＭ回線の状態確認方法を説明するための図。
【図１３】対向ＡＴＭ回線の障害検出方法を説明するための図。
【図１４】コンバータの動作を説明するための図。
【図１５】コンバータの動作を説明するための図。
【図１６】コンバータの動作を説明するための図。
【図１７】コンバータの動作を説明するための図。
【図１８】コンバータの動作を説明するための図。
【符号の説明】
【００５６】
ＳＹＳ    通信ネットワークシステム
ＣＶ１    第１のコンバータ（Ａ）
ＣＶ２    第２のコンバータ（Ｂ）
ＥＮ      イーサネット（登録商標）網
ＥＸ１    ＡＴＭ交換機１
ＥＸ２    ＡＴＭ交換機２
【図１】
2007166413.tif 000003
【図２】
2007166413.tif 000004
【図３】
2007166413.tif 000005
【図４】
2007166413.tif 000006
【図５】
2007166413.tif 000007
【図６】
2007166413.tif 000008
【図７】
2007166413.tif 000009
【図８】
2007166413.tif 000010
【図９】
2007166413.tif 000011
【図１０】
2007166413.tif 000012
【図１１】
2007166413.tif 000013
【図１２】
2007166413.tif 000014
【図１３】
2007166413.tif 000015
【図１４】
2007166413.tif 000016
【図１５】
2007166413.tif 000017
【図１６】
2007166413.tif 000018
【図１７】
2007166413.tif 000019
【図１８】
2007166413.tif 000020